(57)【特許請求の範囲】
【請求項１】
ユーザー情報の入力を受け付けるユーザー情報取得部と，
データ転送サーバーに前記ユーザー情報を送信することによって、前記ユーザー情報に対応する宛先候補を示す情報をデータ転送サーバーから受信し，前記宛先候補を選択可能なように宛先選択画面を表示する宛先候補表示部と，
前記宛先候補から選択された選択結果を前記データ転送サーバーに通知することによって，宛先を設定する宛先設定部と，
前記通知の後に，前記設定された宛先に対応するジョブ識別子を前記データ転送サーバーから受信すると，送信対象データを取得するデータ取得部と，
前記送信対象データおよび前記ジョブ識別子を前記データ転送サーバーに送信することによって前記データ転送サーバーから前記送信対象データを前記ジョブ識別子に対応する前記宛先に転送させる送信制御部と，
を備えるデータ送信装置。
【請求項２】
前記宛先設定部は，ユーザーによる選択に応じて前記通知を行う，
請求項１に記載のデータ送信装置。
【請求項３】
前記データ取得部は，前記通知の後に，送信対象データを取得する処理を開始する，
請求項１又は２に記載のデータ送信装置。
【請求項４】
前記データ取得部は，送信対象原稿からスキャンを行うことで前記送信対象データを作成する，
請求項１から３のいずれか一項に記載のデータ送信装置。
【請求項５】
複数の宛先候補を記憶する宛先候補記憶部と，
データ送信装置からユーザー情報を受信するユーザー情報受信部と、
前記宛先候補記憶部に記憶された複数の宛先候補のうち、前記ユーザー情報に対応する前記宛先候補を含む情報を前記データ送信装置に送信する宛先候補送信部と，
前記データ送信装置から宛先の選択結果を受信し，転送先として前記選択結果が示す宛先を設定し、前記設定した宛先に対応するジョブ識別子を前記データ送信装置に送信する転送設定部と，
送信対象データおよび前記ジョブ識別子を受信すると，前記受信したジョブ識別子に対応する前記宛先に前記送信対象データを送信するデータ転送部と，
を備えるデータ転送サーバー。
【請求項６】
ユーザー情報の入力を受け付け，
データ転送サーバーに前記ユーザー情報を送信することによって、前記ユーザー情報に対応する宛先候補を示す情報をデータ転送サーバーから受信し，前記宛先候補を選択可能なように宛先選択画面を表示し，
前記宛先候補から選択された選択結果を前記データ転送サーバーに通知することによって，前記宛先を設定し，
前記通知の後に，前記設定された宛先に対応するジョブ識別子を前記データ転送サーバーから受信すると，送信対象データを取得し，
前記送信対象データおよび前記ジョブ識別子を前記データ転送サーバーに送信することによって前記データ転送サーバーから前記送信対象データを前記ジョブ識別子に対応する宛先に転送させる，
ことを含むデータ送信方法。
【発明の詳細な説明】
【技術分野】
【０００１】
本発明はデータ送信装置，データ転送サーバーおよびデータ送信方法に関する。
【背景技術】
【０００２】
空港，ホテル，コンビニエンスストアなどには不特定多数のユーザーの利用が許可されたファクシミリが設置されている。このようなファクシリミは，外出先でファクシミリを利用する必要が生じたときに利用される。
【先行技術文献】
【特許文献】
【０００３】
【特許文献１】特開２００８−１１３５４号公報
【発明の概要】
【発明が解決しようとする課題】
【０００４】
ところで，不特定多数のユーザーが想定される場合，宛先候補の回線番号をファクシミリに登録しておくことはメモリ資源の観点から非現実的である。また，不特定多数のユーザーに利用が許可された特定のファクシミリを同じユーザーが頻繁に利用する可能性が低いことから，不特定多数のユーザーの宛先候補の回線番号を特定のファクシミリに登録することには，無駄が多い。しかし，外出先でファクシミリを利用する必要が生じたとしても，宛先の回線番号がわからなければ原稿を送信することができないという問題がある。
【０００５】
本発明は，このような問題を解決するために創作されたものであって，ユーザーが容易にデータを送信できるようにすることを目的の１つとする。
【課題を解決するための手段】
【０００６】
上記目的を達成するためのデータ送信装置は，宛先候補に関する情報をデータ転送サーバーから受信し，前記宛先候補を選択可能なように宛先選択画面を表示する宛先候補表示部と，前記宛先候補から選択された選択結果を前記データ転送サーバーに通知することによって，前記宛先を設定する宛先設定部と，前記通知の後に，送信対象データを取得するデータ取得部と，前記送信対象データを前記データ転送サーバーに送信することによって前記データ転送サーバーから前記送信対象データを前記選択された宛先に転送させる送信制御部と，を備える。前記宛先設定部は，ユーザーによる選択に応じて前記通知を行ってもよい。前記データ取得部は，前記通知の後に，信対象データを取得する処理を開始してもよい。前記データ取得部は，送信対象原稿からスキャンを行うことで前記送信対象データを作成してもよい。
【０００７】
（１）具体的には例えば，データ送信装置は，ユーザー識別子の入力を受け付けるユーザー識別子取得部と，データ転送サーバーに前記ユーザー識別子を送信することによって宛先候補の通信識別子を前記データ転送サーバーから受信し，前記宛先候補を選択可能に表示する宛先候補表示部と，前記宛先候補から選択された宛先の前記通信識別子を前記データ転送サーバーに送信することによって，前記宛先に対応するジョブ識別子をデータ転送サーバーから受信する宛先設定部と，前記ジョブ識別子の受信に応じて送信対象データを取得するデータ取得部と，前記ジョブ識別子に対応付けて前記送信対象データを前記データ転送サーバーに送信することによって前記データ転送サーバーから前記送信対象データを前記宛先に転送させる送信制御部と，を備える。
【０００８】
ここでユーザー識別子とは，データ送信装置に固定された識別子ではなく，データ送信装置のユーザーに固定された識別子である。また宛先とは，送信対象データを受信するデータ受信装置またはそのデータ受信装置が送信対象データを記憶する領域である。本発明によると，データ送信装置を利用する不特定多数のユーザーがユーザー識別子を入力することによって宛先候補の通信識別子をデータ送信装置に取得させるとともに，データ転送サーバーを経由して送信対象データが送信される宛先の通信識別子を設定することができる。すなわち，ユーザーが宛先の通信識別子を特定できない場合であってもユーザーが望む宛先にデータを送信できるようになる。そして，データ送信装置は宛先に対応付けられたジョブ識別子を取得してから送信対象データを取得するため，データ転送サーバーから転送されることのない送信対象データをデータ送信装置が取得する無駄が生じない。
【０００９】
（２）上記目的を達成するためのデータ送信装置において，前記宛先候補表示部は，互いに異なる複数の通信プロトコルに適合する複数の通信識別子に対応する複数の宛先候補を選択可能に表示し，前記送信制御部は，前記選択された宛先の通信識別子が適合しているプロトコルを用いて前記データ転送サーバーから前記宛先に前記送信対象データを転送させてもよい。
この構成を採用すると，ファクシミリ，ＨＴＴＰ，ＳＭＴＰなど，送信対象データを受信するための通信プロトコルが異なる任意の宛先に送信対象データを送信することができる。
【００１０】
（３）上記目的を達成するためのデータ送信装置において，前記宛先候補表示部は，前記複数の宛先候補を一階層で一覧表示してもよい。
この構成を採用すると，宛先の通信プロトコルを意識せずにデータ送信装置に宛先候補を表示させられるため，宛先の設定操作が容易になる。
【００１１】
（４）上記目的を達成するためのデータ送信装置において，前記データ取得部は，送信対象原稿から前記送信対象データを読み取ってもよい。
この構成を採用すると，送信対象原稿の画像データを宛先に送信することができる。
【００１２】
（５）上記目的を達成するためのデータ転送サーバーは，複数のユーザー識別子のいずれかに対応付けて複数の宛先候補の通信識別子を記憶する宛先候補記憶部と，データ送信装置から前記ユーザー識別子を受信し，受信した前記ユーザー識別子に対応する前記宛先候補の通信識別子を返信する宛先候補送信部と，前記複数のデータ送信装置から宛先の通信識別子を受信し，受信した前記宛先の通信識別子に対応するジョブ識別子を返信する転送設定部と，前記ジョブ識別子に対応付けて送信対象データを受信し，受信した前記送信対象データに対応する前記宛先に前記送信対象データを送信するデータ転送部と，を備える。
【００１３】
本発明によると，データ送信装置を利用する不特定多数のユーザーがユーザー識別子を入力することによって宛先候補の通信識別子をデータ送信装置に取得させるとともに，データ転送サーバーを経由して送信対象データが送信される宛先の通信識別子を設定することができる。すなわち，ユーザーが宛先の通信識別子を特定できない場合であってもユーザーが望む宛先にデータを送信できるようになる。そして，データ転送サーバーは宛先に対応付けられたジョブ識別子をデータ送信装置に送信してから送信対象データをジョブ識別子に対応付けて受信するため，データ転送サーバーから転送されることのない送信対象データを受信する無駄が生じない。
【００１４】
なお，請求項に記載された各部の機能は，構成自体で機能が特定されるハードウェア資源，プログラムにより機能が特定されるハードウェア資源，又はそれらの組み合わせにより実現される。また，これら各部の機能は，各々が物理的に互いに独立したハードウェア資源で実現されるものに限定されない。さらに，本発明はデータ送信方法，データ送信プログラム，データ転送プログラムまたはこれらの記録媒体としても成立する。むろん，そのコンピュータプログラムの記録媒体は，磁気記録媒体であってもよいし光磁気記録媒体であってもよいし，今後開発されるいかなる記録媒体であってもよい。
【図面の簡単な説明】
【００１５】
【図１】本発明の実施形態にかかるブロック図。
【図２】本発明の実施形態にかかるデータ構造図。
【図３】本発明の実施形態にかかるシーケンスチャート。
【図４】本発明の実施形態にかかる画面遷移図。
【発明を実施するための形態】
【００１６】
以下，本発明の実施の形態を添付図面を参照しながら以下の順に説明する。尚，各図において対応する構成要素には同一の符号が付され，重複する説明は省略される。
【００１７】
１．全体概要
図１は，データ送信装置としての複数の複合機１とデータ転送サーバー２とを含むデータ通信ネットワークの全体構成を示すブロック図である。各複合機１ａ，１ｂ，１ｃと，データ転送サーバー２とはインターネット３を介して接続されている。各複合機１ａ，１ｂ，１ｃからはデータ転送サーバー２と通信網を介して接続されている任意のファクシミリ４ａ，ＰＣ（Personal Computer）４ｃ，データストレージサーバー４ｂなどのデータ受信装置を宛先として，原稿から読み取った送信対象データを送信することができる。
【００１８】
２．データ転送サーバーの構成
データ転送サーバー２は図示しないプロセッサ，メインメモリ，ＲＯＭ，通信インタフェース部，ハードディスク装置等を備える１台以上のコンピューターシステムによって構成される。データ転送サーバー２のハードウェアリソースは，プロセッサによって実行されるデータ転送プログラムによって，以下に述べる宛先候補記憶部２１，宛先候補送信部２２，転送設定部２３，データ転送部２４，クライアント登録部２５等として機能する。
【００１９】
宛先候補記憶部２１は，ユーザー識別子のいずれかに対応付けて複数のデータ受信装置の通信識別子を記憶するデータベースである。すなわち，宛先候補記憶部２１は，ファクシミリ４ａの回線番号，ＰＣ４ｃの電子メールアドレス，データストレージサーバー４ｂのＵＲＬなど，複数の通信プロトコルの通信識別子をユーザー識別子に対応付けて転送先データベースに記憶する。
【００２０】
図２は，転送先データベースの一例を示す。ユーザー識別子は，本実施例のデータ通信システムを利用するユーザーに固定された識別子であって，ユーザー毎にユニークな文字列（例：ito1234）である。宛名は，データ受信装置を識別するためにユーザーが定める文字列（例：スズキ  ゴロウ）で構成される。通信識別子は宛先となるデータ受信装置を特定し，データ転送サーバー２がデータ受信装置にデータを転送する際に用いる通信プロトコルに適合した文字列で構成される。例えば，宛先のデータ受信装置がファクシミリ４ａであれば回線番号"012-234-5678"が，ＰＣ４ｃであれば電子メールアドレス"s-ito@sankou.co.jp"が，データストレージサーバー４ｂであればＵＲＬ"www.nagoya.com/eigyo/"が，通信識別子として転送先データベースに登録される。
【００２１】
宛先候補送信部２２は，登録された複数の複合機１ａ，１ｂ，１ｃからユーザー識別子を受信し，受信したユーザー識別子に対応する宛先候補の通信識別子を返信する。ユーザー識別子と通信識別子の送受信に用いられる通信プロトコルはＨＴＴＰである。
【００２２】
転送設定部２３は，登録された複数の複合機１ａ，１ｂ，１ｃから転送先となるデータ受信装置の通信識別子を受信し，ジョブ識別子と受信した通信識別子とを対応付けて記憶するとともに，ジョブ識別子を対応する複合機１ａ，１ｂ，１ｃに返信する。また転送設定部２３は，受信した通信識別子を解析し，受信した通信識別子に適合する通信プロトコルを特定する。通信識別子とジョブ識別子の送受信に用いられる通信プロトコルはＨＴＴＰである。
【００２３】
データ転送部２４は，複数の複合機１からジョブ識別子とともに送信対象データを受信し，受信したジョブ識別子に対応する通信識別子を宛先として送信対象データを転送する。上部識別子と送信対象データの送受信に用いられる通信プロトコルはＨＴＴＰである。一方，データ転送部２４は，転送先の通信識別子に適合する通信プロトコルを用いて送信対象データを転送する。例えば転送先がファクシミリ４ａであればＧ３等のファクシミリ規格が用いられ，転送先がデータストレージサーバー４ｂであればＨＴＴＰが用いられる。
【００２４】
クライアント登録部２５は，それぞれの通信識別子をデータベースに登録することによって複数の複合機１をデータ通信システムのクライアントとして登録する。このような登録は，複合機１がセットアップされる際に複合機１からの要求に応じてなされる。
【００２５】
３．複合機の構成
データ転送サーバー２のクライアントとして登録される複合機１ａ，１ｂ，１ｃは，それぞれディスプレイ１７と，操作キー１８と，図示しないプロセッサ，メインメモリ，ＲＯＭ，通信インターフェース部等で構成されるコンピューターシステムと，ラインイメージセンサ，キャリッジ，アクチュエーター等で構成される画像読み取り機構と，インク吐出ヘッド，キャリッジ，アクチュエーター等で構成される印刷機構とを備えている。複合機１ａ，１ｂ，１ｃのハードウェアリソースは，プロセッサによってデータ送信プログラムが実行されることによって，以下に述べるユーザー識別子取得部１１，宛先候補登録部１２，宛先候補表示部１３，宛先設定部１４，読み取り制御部１５，送信制御部１６として機能する。
【００２６】
ユーザー識別子取得部１１は，操作キー１８を用いたユーザー識別子の入力を受け付ける。
【００２７】
宛先候補登録部１２は，データ転送サーバー２にユーザー識別子に対応付けてデータ受信装置の通信識別子と宛名とを送信することによって宛先候補情報をデータ転送サーバー２に登録する。
【００２８】
宛先候補表示部１３は，データ転送サーバー２にユーザー識別子を送信することによって宛先候補の通信識別子と宛名をデータ転送サーバー２から受信し，宛先を操作キー１８によって選択可能にディスプレイ１７に表示する。
【００２９】
宛先設定部１４は，操作キー１８によって宛先候補から選択された宛先に対応する通信識別子をデータ転送サーバー２に送信することによって，選択された宛先に対応するジョブ識別子をデータ転送サーバー２から受信する。
【００３０】
データ取得部としての読み取り制御部１５は，ジョブ識別子の受信に応じて読み取り機構を制御することによって送信対象原稿から送信対象データを読み取る。
【００３１】
送信制御部１６は，ジョブ識別子に対応付けて送信対象データをデータ転送サーバー２に送信することによって，データ転送サーバー２からジョブ識別子に対応するデータ受信装置に送信対象データを転送させる。
【００３２】
４．データ通信方法
図３は，上述した複合機１ａ，１ｂ，１ｃとデータ転送サーバー２を用いたデータ通信の流れを示している。図４は，複合機１のディスプレイ１７の画面遷移態様の一例を示している。
【００３３】
はじめに複合機１ａ，１ｂ，１ｃをデータ通信サーバー２のクライアントとして登録するための機体登録処理を実施する（Ｓ１００）。機体登録処理は，ユーザーによる機体登録操作によって起動する。機体登録処理において，複合機１ａ，１ｂ，１ｃは予め複合機自体が記憶している識別用の情報である機体識別子等を送信することによってデータ転送サーバー２に自分自身をクライアントとして登録することを要求する。機体の登録要求を受信したデータ転送サーバー２は，受信した機体識別識別子をクライアントデータベースに登録し，複合機１が登録されたことを複合機１ａ，１ｂ，１ｃに返信する（Ｓ２００）。このような機体登録処理にともなう複合機１とデータ転送サーバー２との通信はＨＴＴＰを用いて行われる。
【００３４】
データ転送サーバー２に登録された複合機１ａ，１ｂ，１ｃにおいて宛先候補情報をデータ転送サーバー２から取得可能にするため，事前にデータ転送サーバー２に宛先候補情報を登録する処理が必要になる。ユーザーは，ＰＣ等を操作することによって宛先候補情報をデータ転送サーバー２に登録しても良いが，図３では複合機１ａ，１ｂ，１ｃを操作することによってデータ転送サーバー２に宛先候補情報を登録する例を示している。宛先候補情報は，先に説明した転送先データベースに記憶される宛名と通信識別子を含む。これらの宛先候補情報は，既に説明したとおり，いずれかのユーザー識別子と対応付けて転送先データベースに記憶される。
【００３５】
具体的には，ユーザーは，操作キー１８を用いて予めユーザーに通知されている識別用の情報であるユーザー識別子を複合機１に入力した後，宛名及びデータ受信装置の通信識別子を複合機１に入力する宛先登録操作を実行する。その結果，複合機１は，入力されたユーザー識別子と対応付けて宛名およびデータ受信装置の通信識別子をデータ転送サーバー２に送信する（Ｓ１０２）。
【００３６】
複合機１からユーザー識別子，宛名および通信識別子を受信したデータ転送サーバー２は，ユーザー識別子に対応付けて宛名および通信識別子を転送先データベースに登録し，登録完了を複合機１に通知する（Ｓ２０２）。
【００３７】
このようにして宛先候補登録処理が行われると，ユーザーは，クライアントとしてデータ転送サーバー２に登録された任意の複合機において，事前に登録したデータ受信装置の通信識別子を宛先として設定することがユーザー識別子の入力と宛名の選択だけで可能になる。このため，ユーザーは宛先の通信識別子を覚えていない状態であっても，以下に述べるように，任意の複合機において宛先に送信対象データを送信可能になる。なお，図３では，宛先登録処理を実行した複合機において宛先候補情報を取得する例を示しているが，宛先登録処理を実行していない複合機においても，機体登録されている複合機であれば，ユーザー識別子を持つユーザーはステップＳ１０４以降の処理である宛先候補から宛先を選んで宛先の通信識別子を設定するということを実行することが可能である。
【００３８】
具体的には，ユーザーが操作キー１８を用いて，スキャン送信モードを選択する。これに応じて複合機１がディスプレイ１７に表示した入力画面に対して，ユーザーがユーザー識別子を入力して宛先候補情報を要求すると，複合機１は入力されたユーザー識別子をデータ転送サーバー２に送信する（Ｓ１０４）。図４Ａは，複合機１ａ，１ｂ，１ｃのディスプレイ１７に表示されるユーザー識別子の入力画面の一例を示している。図４Ｃは，複合機１ａ，１ｂ，１ｃからユーザー識別子がデータ転送サーバー２に送信された後に表示される待機画面の一例を示している。
【００３９】
データ転送サーバー２は，受信したユーザー識別子に対応付けて記憶されている宛名および通信識別子を転送先データベースから取得して複合機１に返信する（Ｓ２０４）。その結果，複合機１はユーザーが入力したユーザー識別子に対応する宛名および通信識別子を受信し，操作キー１８によって宛名を選択可能にディスプレイ17に表示する。図４Ｃは，複合機１ａ，１ｂ，１ｃのディスプレイ１７に表示される宛先候補情報の表示画面の一例を示している。ディスプレイ１７には，複数の宛先候補が一階層で一覧表示され，カーソルが位置している宛先候補が強調表示される。このように，宛先候補の通信識別子がファクシミリの回線番号であっても，電子メールアドレスであっても，ＵＲＬであっても，通信プロトコルの種別にかかわらず，宛先候補は同列に一覧表示されることが好ましい。
【００４０】
ユーザー識別子を入力したユーザーは，次に，上下キーを操作することでカーソルを上下に移動させ，決定キーを操作することでカーソルが位置する宛先を選択する。宛先が選択されると，複合機１は，選択された宛先に対応する通信識別子や何番目の宛先か等のデータ転送サーバー２が選択された宛先を認識できる情報を選択結果としてデータ転送サーバー２に送信する。さらにユーザーは，したり，送信対象原稿をプラテンガラスにセットしたり，画質を設定するなど，送信条件の設定を操作キー１８を用いて行う（Ｓ１０６）。図４Ｃに示す画面が表示されている状態においては，ユーザーは操作キー１８によって宛先候補のいずれかを選択し，選択を確定させる。すると図４Ｄに示す画質選択画面に遷移する。図４Ｄに示す画面が表示されている状態において，ユーザーは操作キー１８によって原稿をモノクロで読み取るかカラーで読み取るかを選択し，送信条件を確定させる。送信条件が確定すると，複合機１ａ，１ｂ，１ｃは，選択された宛先に対応する通信識別子と読み取り条件とをデータ転送サーバー２に送信する。
【００４１】
通信識別子を受信したデータ転送サーバー２は，受信した通信識別子に対応するデータ受信装置に送信対象データを送信するためのジョブを生成し，生成したジョブの識別子（ジョブ識別子）を複合機１に返信する（Ｓ２０６）。
【００４２】
このとき，データ転送サーバー２は，受信した通信識別子を解析し，通信識別子に対応する通信プロトコルを特定し，ジョブに設定する。具体的には例えば，数字のみまたは数字とハイフンのみで所定文字数の通信識別子が構成されている場合には，通信識別子がファクシミリの回線番号であるものとして，送信対象データの転送にファクシミリ規格を用いるジョブを生成する。また，"＠"を含む英数字のみで通信識別子が構成されている場合には，通信識別子が電子メールアドレスであるものとして，送信対象データの転送にＳＭＴＰを用いるジョブを生成する。また，"http://"を含む英数字のみで通信識別子が構成されている場合には，通信識別子がＵＲＬであるものとして，送信対象データの転送にＨＴＴＰを用いるジョブを生成する。またデータ転送サーバー２は，送信対象データをデータ転送サーバー２が受信するためのアドレス（受信アドレス）をジョブ識別子とともに複合機１に送信する。したがって，ジョブは，転送先の通信識別子，通信プロトコル，送信対象データの受信アドレスを特定し，ジョブ識別子によって識別される情報である。
【００４３】
ジョブ識別子を受信した複合機１は，原稿から送信対象データを読み取り，読み取った送信対象データをジョブ識別子とともにデータ転送サーバー２から受信した受信アドレスに送信する（Ｓ１０８）。すなわち，複合機１は，ジョブ識別子を受信してはじめて送信対象データの読み取りを開始可能な状態となる。図４Ｅは，通信識別子をデータ転送サーバー２に送信してからジョブ識別子を受信するまでの期間に複合機１ａ，１ｂ，１ｃのディスプレイ１７に表示される待機画面の一例である。複合機１ａ，１ｂ，１ｃがジョブ識別子を受信すると，原稿の読み取りが開始され，原稿の読み取り中に図４Ｆに示すステータス画面がディスプレイ１７に表示される。
【００４４】
送信対象データを受信したデータ転送サーバー２は，送信対象データとともに受信したジョブ識別子に対応する通信識別子を持つデータ受信装置に，送信対象データを転送する（Ｓ２０８）。具体的にはデータ転送サーバー２は，ジョブ識別子を用いてジョブを取得し，ジョブに設定されている通信識別子と通信プロトコルを特定する。そして，データ転送サーバー２は，特定した通信プロトコルに応じて，必要であれば送信対象データの形式を変換する。その後，データ転送サーバー２は，ジョブに設定された通信識別子を宛先として，ジョブに設定された通信プロトコルを用いて，送信対象データを送信する。したがって例えば，宛先のデータ受信装置がファクシミリ４ａであればファクシミリ規格を用いてファクシミリ画像に変換した送信対象データが転送され，宛先のデータ受信装置がＰＣ４ｃであればＳＭＴＰを用いて送信対象データが転送され，宛先のデータ受信装置がデータストレージサーバー４ｂであればＨＴＴＰを用いて送信対象データが転送される。その後，転送の成否がデータ転送サーバー２のログに記憶するとともに，データ転送サーバー２から複合機１に通知され，複合機１のディスプレイ１７に成否が表示され，処理が終了する。
【００４５】
以上説明した実施例によると，複合機１ａ，１ｂ，１ｃを利用する不特定多数のユーザーがユーザー識別子を入力することによって宛先候補の通信識別子をデータ送信装置に取得させるとともに，データ転送サーバーを経由して送信対象データが送信される宛先の通信識別子を設定することができる。そして，データ送信装置は宛先に対応付けられたジョブ識別子を取得してから送信対象データを取得するため，データ転送サーバーから転送されることのない送信対象データをデータ送信装置が取得する無駄が生じない。またファクシミリ，ＨＴＴＰ，ＳＭＴＰなど，送信対象データを受信するための通信プロトコルが異なる任意のデータ受信装置に送信対象データを送信することができる。また，宛先の通信プロトコルを意識せずにデータ送信装置に宛先候補を表示させられるため，宛先の通信プロトコル毎にＵＩを分岐させて宛先候補を表示する場合に比べて，宛先の設定操作が容易になる。すなわち，上述した実施例によると，ユーザーは，あたかもユーザーが所有しているファクシミリにおいて登録電話帳を呼び出して宛先を設定して送信するように，任意のデータ送信装置から原稿の画像データをファクシミリ，ＰＣ，データストレージサーバー等に送信することができる。
【００４６】
５．他の実施形態
以上，実施例に基づいて本発明の実施形態を説明したが，本発明の技術的範囲は上述した実施例に限定されるものではなく，以下の変形例を組み合わせるなど，本発明の要旨を逸脱しない範囲内において種々変更を加え得ることは勿論である。例えば，データ送信装置として複合機を例示したが，データ通信機能を備えていれば，スキャナーでもよいし，デジタルカメラでも良いし，携帯型情報端末でも良い。また送信対象データとして原稿から読み取られる画像データを例示したが，送信対象データは，リムーバブルメモリやハードディスク装置から読み込んだ画像データでもテキストデータでもベクトルデータでも良い。
【００４７】
また，転送先データベースには，通信プロトコルを識別する情報を記載しておくことで通信識別子を解析しなくてもよいようにしてもよい。また，データ受信装置にログインするためのログインＩＤやログインパスワードを記載しておくことで，データ受信にログインが必要なデータ受信装置に，データ転送サーバー２がログインしてからデータを送信するようにしてもよい。また，スキャン画質を記載しておき，これをスキャンに使用することで，ユーザーによる画質設定を省略してもよい。
【００４８】
また，宛先候補の表示形態として，宛名と通信識別子が転送サーバー２から複合機１に通知されて表示される例を示したが，宛名だけが通知されて表示されたり，通信識別子だけが通知されて表示されたりしても良い。また通信識別子として，回線番号，電子メールアドレスおよびＵＲＬを例示したが，データ転送サーバーが送信対象データを送信するに当たって必要になる識別情報であれば，どのような識別子であっても良いし，パスワードを含むものであっても良い。また，１階層で表示しなくてもよく，例えば，ユーザーが通信識別子等の登録の段階で所属グループを指定しておくことにより，所属グループ毎に複数階層で表示してもよい。
【００４９】
また，データ送信装置とデータ転送サーバー間の通信プロトコルとしてＨＴＴＰを例示したが，ＸＭＰＰ，ＳＭＴＰ，ＴｅｌＮｅｔなど他のデータ通信プロトコルを用いても良い。
【００５０】
また上述した操作と画面遷移の関係が単なる例示であることはいうまでもない。例えば画質の設定操作が宛先の選択操作の前に行われても良い。また，サーバーは１台のコンピューター装置から成ってもよいし，複数台のコンピューター装置から成ってもよい。
【符号の説明】
【００５１】
１ａ，１ｂ，１ｃ…複合機，２…データ転送サーバー，３…インターネット，４ａ…ファクシミリ，４ｂ…データストレージサーバー，４ｃ…ＰＣ，１１…ユーザー識別子取得部，１２…宛先候補登録部，１３…宛先候補表示部，１４…宛先設定部，１５…読み取り制御部，１６…送信制御部，１７…ディスプレイ，１８…操作キー，２１…宛先候補記憶部，２２…宛先候補送信部，２３…転送設定部，２４…データ転送部，２５…クライアント登録部
【図１】
0006028890.tif 000002
【図２】
0006028890.tif 000003
【図３】
0006028890.tif 000004
【図４】
0006028890.tif 000005